(57)【要約】【課題】フィルムに折れや皺が生じることを防止するフィルム蓄積システムを提案する。【解決手段】フィルムが巻かれた巻出リール（１７ａ）を回転自在に支持し、巻出リール（１７ａ）からフィルムを巻き出すアンワインダ装置（１８）と、アンワインダ装置（１８）から供給されたフィルムにＵ字形部分を形成してフィルムを蓄積し、アンワインダ装置（１８）からフィルムが供給される側に配設された吸引式フィルム送給装置（１２０）と、フィルムが排送される側に配設された吸引式フィルム排送装置（１３０）とを備えたフィルム蓄積装置（１０７）とを備えたフィルム蓄積システムにおいて、フィルム蓄積装置（１０７）は、吸引式フィルム送給装置（１２０）および吸引式フィルム排送装置（１３０）の吸引力を制御する制御装置（５０）を含むようにする。【選択図】  図２
2013121880.tif 000002
【特許請求の範囲】
【請求項１】
フィルムが巻かれた巻出リールを回転自在に支持し、前記巻出リールからフィルムを巻き出すアンワインダ装置と、
前記アンワインダ装置から供給されたフィルムにＵ字形部分を形成してフィルムを蓄積し、前記アンワインダ装置からフィルムが供給される側に配設された吸引式フィルム送給装置と、フィルムが排送される側に配設された吸引式フィルム排送装置とを備えたフィルム蓄積装置と
を備えたフィルム蓄積システムにおいて、
前記フィルム蓄積装置は、前記吸引式フィルム送給装置および前記吸引式フィルム排送装置の吸引力を制御する制御装置を含むことを特徴とするフィム蓄積システム。
【請求項２】
前記フィルム蓄積装置におけるフィルムの蓄積状態を検出するフィルム蓄積状態検出装置を備え、
前記制御装置は、前期フィルム蓄積状態検出装置の検出結果に基づいて、前記吸引式フィルム送給装置および前記吸引式フィルム排送装置の吸引力を制御する吸引力制御部を含む
ことを特徴とする請求項１に記載のフィルム蓄積システム。
【請求項３】
前記フィルム蓄積状態検出装置は、
前記フィルム蓄積装置におけるフィルムのＵ字形部分の底部の位置を検出するフィルム位置検出部と、
前記フィルム位置検出部の検出結果に基づいて、フィルムのＵ字形部分の底部の振れ幅を求める振れ幅検出部と
を含み、
前記吸引力制御部は、前記振れ幅検出部により求められた前記振れ幅に基づいて、前記吸引式フィルム送給装置および前記吸引式フィルム排送装置の吸引力を制御するように構成されている
ことを特徴とする請求項２に記載のフィルム蓄積システム。
【請求項４】
前記フィルム蓄積状態検出装置は、所定時間内に前記巻出リールからフィルムが巻き出される巻出量と前記所定時間内に前記フィルム蓄積装置からフィルムが排出される排出量とに基づいて、単位時間当たりのフィルム蓄積変化量をフィルムの振れ速度として算出する振れ速度検出部を含み、
前記吸引力制御部は、前記振れ速度検出部により算出されたフィルムの振れ速度に基づいて、前記吸引式フィルム送給装置および前記吸引式フィルム排送装置の吸引力を制御するように構成されている
ことを特徴とする請求項２または３に記載のフィルム蓄積システム。
【請求項５】
前記吸引式フィルム送給装置は、フィルムのＵ字形部分の一側面に対向する送給側ガイド面を有し前記一側面を吸引する送給側吸引部を備え、
前記吸引式フィルム排送装置は、フィルムのＵ字形部分の他の側面に対向する排送側ガイド面を有し前記他の側面を吸引する排送側吸引部を備え、
前記送給側吸引部は、前記排送側吸引部と対向する下流側吸引部と、当該下流側吸引部のフィルム搬送方向上流側に設けられ、前期排送側吸引部よりもフィルム搬送方向上流側に張り出す上流側吸引部とを備え、
前記下流側吸引部は、フィルムの走行方向に並べて配置され且つそれぞれ個別に吸引力の調整が可能な複数の送給側吸引室を有し、
前記排送側吸引部は、フィルムの走行方向に並べて配置され且つそれぞれ個別に吸引力の調整が可能な複数の排送側吸引室を有し、
前記フィルム蓄積装置におけるフィルムのＵ字形部分の底部の位置を検出するフィルム位置検出部と、
前期フィルム位置検出部の検出結果に基づいて、前記複数の送給側吸引室の吸引力および前記複数の排送側吸引室の吸引力を個別に制御する吸引力制御部と
を備えることを特徴とする請求項１に記載のフィルム蓄積システム。
【請求項６】
前記フィルム位置検出部は、前記フィルム蓄積装置においてフィルムの走行方向に並べて配置された複数の光電センサを含む
ことを特徴とする請求項５に記載のフィルム蓄積システム。
【請求項７】
前記アンワインダ装置は、前記巻出リールを回転駆動する巻出リール駆動モータを含み、
前記フィルム蓄積装置は、前記巻出リール駆動モータを制御する制御装置を含む
ことを特徴とする請求項１に記載のフィルム蓄積システム。
【請求項８】
前記フィルム蓄積装置におけるフィルムのＵ字形部分の底部の位置を検出するフィルム位置検出部を備え、
前記制御装置は、前記フィルム位置検出部の検出結果に基づいて、前記巻出リール駆動モータを制御するモータ制御部を含む
ことを特徴とする請求項７に記載のフィルム蓄積システム。
【発明の詳細な説明】
【技術分野】
【０００１】
本発明は、フィルムを使用してシートに加工を施すフィルム転写装置に関する。
【背景技術】
【０００２】
フィルム転写装置には、Cast ＆ Cure と呼ばれる成型硬化技術やコールド・フォイルと呼ばれる技術を用いたものがある。これらの技術はシートに対して美麗効果を付与する技術である。Cast ＆ Cure 技術は、ホログラム・エンボス加工が施されているフィルムを、ＵＶ(ultraviolet)硬化性樹脂がコーティングされたシート上に圧接しながら硬化させて、ホログラム効果等を成型するものである。また、コールド・フォイル技術は、接着剤が印刷されたシート上に、箔が蒸着されたフィルムを圧接することにより、箔をシート上に転写する技術である。このような印刷物に対して美麗効果を付与するフィルム転写装置の性能改善が盛んに行われている。
【０００３】
例えば、枚葉紙に対して印刷を行い、あわせてコールド・フォイル（冷間箔転写）およびエンボス加工を行うことができる装置が提案されている（例えば、特許文献１参照）。また、枚葉紙に対して印刷を行い、ニス面に対してフィルムの模様を転写する Cast ＆ Cure 技術により例えばＬＣコートやトランスタバックと呼ばれるホログラム・エンボス加工を行うことができる装置が提案されている（例えば、特許文献２参照）。
【０００４】
フィルム転写装置で用いられる巻出リールは、フィルムを巻いて巻出リールに仕上げる際に、さらに物流過程で保管および運送される際に、偏心が生じたり、真円と比較して歪んだりするので、非円形になってしまう。このため、フィルム転写装置のアンワインダ装置（巻出装置）にこのような巻出リールをセットしてシート搬送速度と一致するように巻出リールを回転させても、巻出リールから巻出されるフィルムの送給速度がばらつき、フィルムの送給速度がシートの搬送速度と必ずしも一致せず誤差が生じてしまう。
【０００５】
慣性の小さな巻出リールを低速で回転させてフィルムを繰り出す場合には、フィルムの送給速度とシートの搬送速度との誤差を小さく制御することが可能である。しかし、巻出リールの巻径や幅がより大きい場合には、慣性が大きく影響し、アンワインダ装置による回転制御がフライホイール効果により緩慢になるため、その誤差を制御により減少させることが困難である。さらに、アンワインダ装置によりフィルムを繰り出す送給速度が高速になると、アンワインダ装置による緩慢な回転制御の性能限界が一段と大きく影響してしまう。
【０００６】
フィルム転写装置のフィルム転写胴と圧胴との間で行われる転写の押圧作用点（ニップ）においては、圧胴上のシートとフィルムとが重ね合わされ、両者の速度が一致しなくてはならない。しかし、前述の通り、フィルムの送給速度とシートの搬送速度とを完全に一致させるために、アンワインダ装置による回転制御だけでは十分ではない。このため、フィルムの送給速度とシートの搬送速度とを完全に一致させるために、巻出リールから繰り出されるフィルムを一時蓄積し、そこからフィルムをシートの搬送速度と同速度でニップ部分へ供給するためのフィルム蓄積装置が必要になる。
【０００７】
フィルム蓄積装置では、フィルム蓄積装置の中でフィルムにＵ字形部分を形成することによりフィルムを蓄積し、巻出リールから繰り出されるフィルムの長さと、ニップ部分を通過していくフィルムの長さとの差を緩和および吸収する方法が一般に実用化されている。Ｕ字形部分は、一側面をなす平面部分と、これと対向する他の側面をなす平面部分と、両側面の間の底面をなす半円形の円弧状部分とからなる。底面が折れ曲がることなく、一側面と底面と他の側面とが連続して、Ｕ字形部分が形成される。
【０００８】
このようなＵ字形部分を形成する方式には、ダンサーローラーを用いる方式（特許文献１）や、空力装置を用いる方式がある（例えば、特許文献３参照）。
【先行技術文献】
【特許文献】
【０００９】
【特許文献１】特開２００８−２９６４４８号公報
【特許文献２】特開２００６−３１５２２９号公報
【特許文献３】ＵＳ６，２３０，６１６ Ｂ１
【発明の概要】
【発明が解決しようとする課題】
【００１０】
ところで上述したフィルム蓄積装置においては、フィルムの蓄積量が変動してＵ字形部分の長さも変動するため、特許文献３においては、当該フィルムのＵ字形部分のうち、円弧領域を成していない平面部を吸引してフィルムに折れや皺等の不具合を生じさせることなく、安定したＵ字形状を維持できるようにしたフィルム蓄積装置を備えている。
【００１１】
フィルム蓄積装置においては、フィルム蓄積装置内に蓄積されるフィルムを安定させる必要があり、そのためにはフィルムのＵ字形部分に対して適切な吸引力が必要になる。
【００１２】
しかしながらフィルム蓄積装置においては、フィルムのＵ字形部分が長くなったり、短くなったりするため、当該フィルムのＵ字形部分の吸引面積が変動して吸引力も大きく変動し、Ｕ字形部分のＵ字形状が乱れ、フィルムに折れや皺が生じてしまうという問題があった。
【００１３】
本発明は、このような問題を解決するためになされたものであり、フィルムに折れや皺が生じることを防止するフィルム蓄積システムを提案することを目的とする。
【課題を解決するための手段】
【００１４】
このような目的を達成するために、本発明は、フィルムが巻かれた巻出リールを回転自在に支持し、前記巻出リールからフィルムを巻き出すアンワインダ装置と、前記アンワインダ装置から供給されたフィルムにＵ字形部分を形成してフィルムを蓄積し、前記アンワインダ装置からフィルムが供給される側に配設された吸引式フィルム送給装置と、フィルムが排送される側に配設された吸引式フィルム排送装置とを備えたフィルム蓄積装置とを備えたフィルム蓄積システムにおいて、前記フィルム蓄積装置は、前記吸引式フィルム送給装置および前記吸引式フィルム排送装置の吸引力を制御する制御装置を含むことを特徴とすることを特徴とする。
【００１５】
また本発明においては、前記フィルム蓄積装置におけるフィルムの蓄積状態を検出するフィルム蓄積状態検出装置を備え、前記制御装置は、前期フィルム蓄積状態検出装置の検出結果に基づいて、前記吸引式フィルム送給装置および前記吸引式フィルム排送装置の吸引力を制御する吸引力制御部を含むことを特徴とする。
【００１６】
さらに本発明において、前記フィルム蓄積状態検出装置は、前記フィルム蓄積装置におけるフィルムのＵ字形部分の底部の位置を検出するフィルム位置検出部と、前記フィルム位置検出部の検出結果に基づいて、フィルムのＵ字形部分の底部の振れ幅を求める振れ幅検出部とを含み、前記吸引力制御部は、前記振れ幅検出部により求められた前記振れ幅に基づいて、前記吸引式フィルム送給装置および前記吸引式フィルム排送装置の吸引力を制御するように構成されていることを特徴とする。
【００１７】
さらに本発明において、前記フィルム蓄積状態検出装置は、所定時間内に前記巻出リールからフィルムが巻き出される巻出量と前記所定時間内に前記フィルム蓄積装置からフィルムが排出される排出量とに基づいて、単位時間当たりのフィルム蓄積変化量をフィルムの振れ速度として算出する振れ速度検出部を含み、前記吸引力制御部は、前記振れ速度検出部により算出されたフィルムの振れ速度に基づいて、前記吸引式フィルム送給装置および前記吸引式フィルム排送装置の吸引力を制御するように構成されていることを特徴とする。
【００１８】
さらに本発明において、前記吸引式フィルム送給装置は、フィルムのＵ字形部分の一側面に対向する送給側ガイド面を有し前記一側面を吸引する送給側吸引部を備え、前記吸引式フィルム排送装置は、フィルムのＵ字形部分の他の側面に対向する排送側ガイド面を有し前記他の側面を吸引する排送側吸引部を備え、前記送給側吸引部は、前記排送側吸引部と対向する下流側吸引部と、当該下流側吸引部のフィルム搬送方向上流側に設けられ、前期排送側吸引部よりもフィルム搬送方向上流側に張り出す上流側吸引部とを備え、前記下流側吸引部は、フィルムの走行方向に並べて配置され且つそれぞれ個別に吸引力の調整が可能な複数の送給側吸引室を有し、前記排送側吸引部は、フィルムの走行方向に並べて配置され且つそれぞれ個別に吸引力の調整が可能な複数の排送側吸引室を有し、前記フィルム蓄積装置におけるフィルムのＵ字形部分の底部の位置を検出するフィルム位置検出部と、前期フィルム位置検出部の検出結果に基づいて、前記複数の送給側吸引室の吸引力および前記複数の排送側吸引室の吸引力を個別に制御する吸引力制御部とを備えることを特徴とする。
【００１９】
さらに本発明において、前記フィルム位置検出部は、前記フィルム蓄積装置においてフィルムの走行方向に並べて配置された複数の光電センサを含むことを特徴とする。
【００２０】
さらに本発明において、前記アンワインダ装置は、前記巻出リールを回転駆動する巻出リール駆動モータを含み、前記フィルム蓄積装置は、前記巻出リール駆動モータを制御する制御装置を含むことを特徴とする。
【００２１】
さらに本発明において、前記フィルム蓄積装置におけるフィルムのＵ字形部分の底部の位置を検出するフィルム位置検出部を備え、前記制御装置は、前記フィルム位置検出部の検出結果に基づいて、前記巻出リール駆動モータを制御するモータ制御部を含むことを特徴とする。
【発明の効果】
【００２２】
本発明によれば、フィルム蓄積装置におけるフィルムのＵ字形部分の蓄積状態に基づいて吸引式フィルム送給装置および吸引式フィルム排送装置の吸引力を制御することにより、フィルムのＵ字形部分の蓄積状態が変動したときの影響を低減し、安定した吸引力によりＵ字形部分を維持することができるので、従来に比して一段と高速、かつ安定した状態でフィルムに折れや皺が生じることなく繰り出すことができる。
【００２３】
また本発明によれば、フィルムのＵ字形部分の底部の位置すなわちＵ字形部分の蓄積量の変動に応じて、複数の送給側吸引室及び複数の排送側吸引室の吸引力を個別に制御することができるので、複数の送給側吸引室及び複数の排送側吸引室において安定した吸引力によりＵ字形部分を形成することができると共に、吸引力の変動による外乱を少なくしつつフィルムを引き出すことができ、かくして従来に比して一段と高速、かつ安定した状態でフィルムに折れや皺が生じることなく繰り出すことができる。
【図面の簡単な説明】
【００２４】
【図１】本発明の一実施の形態である箔転写ユニットを含む枚葉輪転印刷機の全体構成を示す側面図である。
【図２】箔転写ユニットの構造を示す側面図である。
【図３】空力式蓄積装置の構成を示す斜視図である。
【図４】空力式蓄積装置の構成を示す前面図である。
【図５】空力式蓄積装置の断面構成を示す断面図である。
【図６】空力式蓄積装置の構成を示す背面図である。
【図７】空力式蓄積装置、吸引式フィルム送給装置および吸引式フィルム排送装置の構成を示す側面図である。
【図８】空力式蓄積装置、吸引式フィルム送給装置および吸引式フィルム排送装置の構成を示す側面図である。
【図９】吸引力制御および巻出量制御を行うための装置構成（１）を示す略線図である。
【図１０】吸引力制御および巻出量制御を行うための装置構成（２）を示す略線図である。
【図１１】吸引力制御および巻出量制御を行うための回路構成を示すブロック図である。
【図１２】フィルム蓄積状態検出装置の構成を示すブロック図である。
【図１３】コンピュータの構成を示すブロック図である。
【図１４】コンピュータによって実現される機能部を示すブロック図である。
【図１５】巻出量制御処理手順を示すフローチャートである。
【図１６】初期条件および運転後条件のパラメータに対応した吸引力制御パターンを示す図表である。
【図１７】初期条件のパラメータの組み合わせを考慮した吸引力制御パターンを示す図表である。
【図１８】運転後条件のパラメータの組み合わせを考慮した吸引力制御パターンを示す図表である。
【図１９】吸引力制御処理手順を示すフローチャートである。
【発明を実施するための形態】
【００２５】
以下、本発明の実施例について、図面を参照して詳細に説明する。ここでは、本発明のフィルム転写装置が枚葉輪転印刷機に利用された場合の実施の形態について説明する。
【００２６】
（１）枚葉輪転印刷機の全体構成
図１に示される枚葉輪転印刷機１は、紙などのシート２を供給するシート供給装置としての給紙装置３と、シート２に対して接着剤を転写する接着剤転写ユニット４と、シート２に対して箔を転写する箔転写ユニット（枚葉輪転式フィルム転写加工装置）５と、シート２に対して印刷を施す５組の印刷ユニット６ａ〜６ｅからなる印刷部６と、シート２に対してニスを塗布するニスコーティングユニット７と、乾燥ユニット８と、シート２に対してエンボス加工を施すエンボス加工ユニット９と、シート２を排出するシート排出装置としての排紙装置１０とを備えている。
【００２７】
給紙装置３には、シート２を渡し胴１２へ一枚ずつ供給するフィーダボード１１が設けられている。
【００２８】
接着剤転写ユニット４は、周面に版が装着された版胴２２と、版胴２２に対接するゴム胴２３と、版胴２２の直径の２倍の直径を有し，ゴム胴２３に対向して配設され，シート２を保持して搬送する圧胴２７とを備えている。圧胴２７のシート搬送方向上流側に渡し胴１２が対接し、圧胴２７のシート搬送方向下流側に渡し胴２８が対接している。
【００２９】
箔転写ユニット５は、接着剤転写ユニット４のシート搬送方向下流側に配設されている。箔転写ユニット５は、回転自在に支持され周面にブランケットが装着されたフィルム転写胴２０と、フィルム転写胴２０の直径の２倍の直径を有し，フィルム転写胴２０に対向して配設され、シート２を保持して搬送する圧胴２９と、後述するリールスタンド部５ａおよびフィルム蓄積部５ｂとを備えている。圧胴２９のシート搬送方向上流側に渡し胴２８が対接し、圧胴２９のシート搬送方向下流側に渡し胴３０が対接している。箔転写ユニット５は、接着剤が印刷されたシート２上に、箔が蒸着されたフィルム１７を圧接することにより、箔をシート２上に転写するコールド・フォイル・スタンプ加工を行う。この箔転写ユニット５が、本発明のフィルム転写装置の一実施の形態である。
【００３０】
印刷部６は、箔転写ユニット５のシート搬送方向下流側に配設されている。５組の印刷ユニット６ａ〜６ｅは、それぞれ、周面に版が装着された版胴１３ａ〜１３ｅと、版胴１３ａ〜１３ｅにそれぞれ対接したゴム胴１４ａ〜１４ｅと、版胴１３ａ〜１３ｅの直径の２倍の直径を有し、ゴム胴１４ａ〜１４ｅに対向して配設され，シート２を保持して搬送する圧胴１５ａ〜１５ｅとを備えている。圧胴１５ａ〜１５ｅには渡し胴３０、３１、３２、３３、３４、３５が接続されている。最後段の印刷ユニット６ｅは、圧胴１５ｅに対向して配設され、圧胴１５ｅに保持されたシート２に対して紫外線を照射するＵＶランプ２４を備えている。
【００３１】
ニスコーティングユニット７は、印刷部６のシート搬送方向下流側に配設されている。ニスコーティングユニット７は、周面に版が装着されたニス供給胴２５と、ニス供給胴２５の直径の２倍の直径を有し，ニス供給胴２５に対向して配設され、シート２を保持して搬送する圧胴３６とを備えている。圧胴３６のシート搬送方向上流側に渡し胴３５が対接し、圧胴３６のシート搬送方向下流側に渡し胴３７が対接している。
【００３２】
乾燥ユニット８は、ニスコーティングユニット７のシート搬送方向下流側に配設されている。乾燥ユニット８は、渡し胴３８と、渡し胴３８に対向して配設され、渡し胴３８に保持されたシート２に対して紫外線を照射する三個のＵＶランプ２６とを備えている。渡し胴３８のシート搬送方向上流側に渡し胴３７が対接し、渡し胴３８のシート搬送方向下流側に渡し胴３９が対接している。
【００３３】
エンボス加工ユニット９は、乾燥ユニット８のシート搬送方向下流側に配設されている。エンボス加工ユニット９は、周面にエンボス版が装着されたエンボッシング胴９２と、エンボッシング胴９２の直径と同じ直径を有し、エンボッシング胴９２に対向して配設され，シート２を保持して搬送するカウンタ胴９１とを備えている。カウンタ胴９１のシート搬送方向上流側に渡し胴３９が対接し、カウンタ胴９１のシート搬送方向下流側に渡し胴９５が対接している。
【００３４】
排紙装置１０は、エンボス加工ユニット９のシート搬送方向下流側に配設されている。排紙装置１０は、排紙胴９７と、排紙胴９７と同軸上に設けられたスプロケット（図示せず）と、排紙装置１０の後端部に設けられたスプロケット９８と、これら２つのスプロケットの間に張架され，シート２を保持する爪竿（図示せず）を備えた排紙チェーン９９と、シート２が積載される排紙パイルとを備えている。排紙胴９７のシート搬送方向上流側に渡し胴９６が対接し、渡し胴９６のシート搬送方向上流側に渡し胴９５が対接している。
【００３５】
（２）箔転写ユニットの構成
上述したとおり、箔転写ユニット５は、フィルム転写胴２０と、圧胴２９と、リールスタンド部５ａと、フィルム蓄積部５ｂとを備えている。図２に示されるように、リールスタンド部５ａは、フィルム転写胴２０の鉛直方向上方に配置されている。フィルム蓄積部５ｂは、リールスタンド部５ａとフィルム転写胴２０との間、すなわち、フィルム転写胴２０の鉛直方向上方かつリールスタンド部５ａの鉛直方向下方に配置されている。換言すると、フィルム転写胴２０の真上にフィルム蓄積部５ｂが設けられ、フィルム蓄積部５ｂの真上にリールスタンド部５ａが設けられている。なお、本明細書では、「鉛直方向」を「水平面に対して垂直な方向」という意味で用いる。
【００３６】
（２−１）リールスタンド部の構成
図２に示されるように、リールスタンド部５ａは、アンワインダ装置１８と、超音波センサ１６と、リワインダ装置１９とを備えている。
【００３７】
アンワインダ装置１８は、フィルム１７がリール状に巻かれた巻出リール１７ａを回転自在に支持し、巻出リール１７ａからフィルム１７を巻き出す。アンワインダ装置１８は、巻出リール１７ａを回転駆動する巻出リール駆動モータ２０８を備えている（図１１参照）。フィルム１７には、シート２に転写される箔が蒸着されている。
超音波センサ１６は、アンワインダ装置１８の巻出リール１７ａに対向して配設され、巻出リール１７ａに巻き取られているフィルム１７の最外周の表面までの距離を測定する。
【００３８】
リワインダ装置１９は、巻取リール１７ｂを回転自在に支持し、アンワインダ装置１８の巻出リール１７ａから巻き出されてフィルム転写胴２０を経由したフィルム１７を巻取リール１７ｂに巻き取る。つまり、リワインダ装置１９は、箔がシート２へ転写された後のフィルム１７を巻き取る。
【００３９】
（２−２）フィルム蓄積部の構成
図２に示されるように、フィルム蓄積部５ｂは、アンワインダ装置１８のフィルム走行方向下流側かつフィルム転写胴２０のフィルム走行方向上流側に配設されている。フィルム蓄積部５ｂは、フィルム蓄積装置１０７と、複数のガイドローラとを備えている。
【００４０】
フィルム蓄積装置１０７は、リールスタンド部５ａのアンワインダ装置１８から供給されたフィルム１７にＵ字形部分を形成して、フィルム１７を蓄積するシステムである。フィルム蓄積装置１０７は、フィルム１７が供給されてから排送されるまでの間の部分をＵ字状にして、内部に一時的に滞留させるバッファとして機能する。ここで「Ｕ字形」とは、フィルム蓄積装置１０７に蓄積されたフィルム１７を、図２の正面から見た形状である。フィルム１７は帯状のものであるから、フィルム蓄積装置１０７におけるフィルム１７のＵ字形部分は、一側面（供給側の側面）をなす平面部分と、これと対向する他の側面（排送側の側面）をなす平面部分と、両側面の間の底面をなす円弧状部分（底部）とからなる。
【００４１】
フィルム蓄積装置１０７は、空力式蓄積装置１００と、吸引式フィルム送給装置１２０と、吸引式フィルム排送装置１３０と、インフィードローラ１１０とを含む。
吸引式フィルム送給装置１２０は、アンワインダ装置１８からフィルム蓄積装置１０７にフィルム１７が供給される側に配設され、フィルム蓄積装置１０７におけるフィルム１７のＵ字形部分の一側面を吸引保持して搬送する。
吸引式フィルム排送装置１３０は、インフィードローラ１１０によりフィルム蓄積装置１０７からフィルム１７が排送される側に配設され、フィルム蓄積装置１０７におけるフィルム１７のＵ字形部分の他の側面を吸引保持する。
フィルム１７のＵ字形部分の一側面が他の側面と平行に対向するように、吸引式フィルム送給装置１２０が吸引式フィルム排送装置１３０と対向して配置される。
【００４２】
空力式蓄積装置１００は、吸引式フィルム送給装置１２０と吸引式フィルム排送装置１３０との間に配設され、フィルム蓄積装置１０７に蓄積されるフィルム１７に円弧状部分を形成し維持する。
インフィードローラ１１０は、吸引式フィルム排送装置１３０の鉛直方向上方に配設され、回転駆動されることにより、フィルム蓄積装置１０７に蓄積されたフィルム１７を引き出してフィルム転写胴２０に送る。
吸引式フィルム送給装置１２０がフィルム１７の走行方向上流側に配置され、吸引式フィルム排送装置１３０が吸引式フィルム送給装置１２０のフィルム走行方向下流側に配置され、インフィードローラ１１０が吸引式フィルム排送装置１３０のさらにフィルム走行方向下流側に配置される。
【００４３】
（２−２−１）空力式蓄積装置の構成
図２乃至図８に示されるように、空力式蓄積装置１００は、エアーブロー装置１０１と、引込装置１０２とを備えている。
エアーブロー装置１０１は、空力式蓄積装置１００の上部に配設され、フィルム蓄積装置１０７におけるフィルム１７のＵ字形部分の底部に向けて上方から鉛直方向下方へ送風する。
【００４４】
図３および図４に示されるように、エアーブロー装置１０１には、機械の幅方向（すなわちフィルム１７の幅方向）に沿って直列に、合計６個のエア流路であるダクトホース継手１０１ａ〜１０１ｆが設けられている。図３および図４の紙面に向かって左側のダクトホース継手１０１ａ〜１０１ｃの入口は左の外方へ向けられ、右側のダクトホース継手１０１ｄ〜１０１ｆの入口は右の外方へ向けられ、それぞれ図示しないブロワに接続されている。
図５に示されるように、ダクトホース継手１０１ａ〜１０１ｆの出口の直下には、鉛直方向下方へ向けられたハニカム状の整流部１０３が設けられている。この整流部１０３により、ダクトホース継手１０１ａ〜１０１ｆから吹き出される空気が鉛直方向下方へ向かう層流になる。
【００４５】
引込装置１０２は、空力式蓄積装置１００の下部におけるエアーブロー装置１０１と対向する位置に配設され、フィルム蓄積装置１０７におけるフィルム１７のＵ字形部分の底部を鉛直方向下方へ吸引する。
引込装置１０２は、図３〜図５に示されるような吸引箱である。フィルム１７と対向する面は凹んだ円弧状に形成され、その面に複数の吸気孔が設けられている。引込装置１０２は、図示しない吸引源に接続されている。本実施例では、フィルム１７の幅方向に２つの引込装置１０２が並設されている。
【００４６】
図３および図５に示されるように、空力式蓄積装置１００には、フィルム１７の両端の位置に、２枚の仕切板１０５，１０６が対向するように配設されている。仕切板１０５、１０６は、フィルム１７の幅方向に延設されたガイドレール１４５にそれぞれ脚部１０５ａ、１０６ａを介してスライド自在に支持されている。したがって、仕切板１０５、１０６の間隔は、フィルム１７の幅に合わせて変更し得る。
【００４７】
なお、図７および図８に示されるように、エアーブロー装置１０１に、フィルム１７の箔蒸着面である表（おもて）面に発生する静電気を除去する静電気除去装置１４２が配置されている。また、吸引式フィルム送給装置１２０のフィルム走行方向上流側に、フィルム１７の裏面に発生する静電気を除去する静電気除去装置１４１が配置されている。
【００４８】
（２−２−２）吸引式フィルム送給装置の構成
図７および図８に示されるように、吸引式フィルム送給装置１２０は、フィルム蓄積装置１０７におけるフィルム１７のＵ字形部分の一側面、すなわちアンワインダ装置１８から供給される側の側面を吸引保持する送給側吸引部１２１を備えている。送給側吸引部１２１は、フィルム１７のＵ字形部分の一側面に対向し、フィルム１７を案内する送給側ガイド面１２１ｇを有する。
送給側吸引部１２１は、フィルム搬送方向下流側に配設された下流側吸引部としての送給側吸引部１２１Ｌｏと、送給側吸引部１２１Ｌｏのフィルム搬送方向上流側に配設された上流側吸引部としての送給側吸引部１２１Ｕｐとから構成される。すなわち、送給側吸引部１２１Ｌｏが下側に配置され、送給側吸引部１２１Ｕｐが上側に配置される。
【００４９】
図７〜図９に示されるように、下側の送給側吸引部１２１Ｌｏは、フィルム１７の走行方向に複数（本実施例においては３つ）に分割された送給側吸引室１２１ａ〜１２１ｃからなる。送給側吸引室１２１ａ〜１２１ｃのそれぞれは、フィルム１７の幅方向にさらに２分割されている。送給側吸引室１２１ａ〜１２１ｃは、個別に吸引力の調整が可能である。
同じく、上側の送給側吸引部１２１Ｕｐは、フィルム１７の走行方向に複数（本実施例においては３つ）に分割された送給側吸引室１２１ｄ〜１２１ｆからなる。送給側吸引室１２１ｄ〜１２１ｆのそれぞれは、フィルム１７の幅方向にさらに２分割されている。
図７および図８に示されるように、送給側吸引室１２１ｄ〜１２１ｆおよび送給側吸引室１２１ａ〜１２１ｃは、フィルム１７の走行方向に連続して並べて配置され、送給側ガイド面１２１ｇとなる平面を形成する。
【００５０】
図３乃至図６に示されるように、下側の送給側吸引部１２１Ｌｏの幅方向の両端部に、送給側吸引室１２１ａ〜１２１ｃと対応したダクトホース継手１２２ａ〜１２２ｃが設けられている。ダクトホース継手１２２ａ〜１２２ｃは図９に示す送給側可変風量弁Ｖ１Ｐ〜Ｖ３Ｐにそれぞれ接続され、送給側可変風量弁Ｖ１Ｐ〜Ｖ３Ｐは図９に示す吸引用ブロワＢ１〜Ｂ３にそれぞれ接続されている。したがって、送給側吸引部１２１Ｌｏは、ダクトホース継手１２２ａ〜１２２ｃおよび送給側可変風量弁Ｖ１Ｐ〜Ｖ３Ｐを介して、吸引用ブロワＢ１〜Ｂ３に接続されている。
【００５１】
図３乃至図６に示されるように、上側の送給側吸引部１２１Ｕｐの幅方向の両端部にも、送給側吸引室１２１ｄ〜１２１ｆと対応したダクトホース継手１２２ｄ〜１２２ｆが設けられている。ダクトホース継手１２２ｄ〜１２２ｆは図９に示す送給側可変風量弁Ｖ４Ｐ〜Ｖ６Ｐにそれぞれ接続され、送給側可変風量弁Ｖ４Ｐ〜Ｖ６Ｐはすべて図９に示す単一の吸引用ブロワＢ４に接続されている。したがって、送給側吸引部１２１Ｕｐは、ダクトホース継手１２２ｄ〜１２２ｆおよび送給側可変風量弁Ｖ４Ｐ〜Ｖ６Ｐを介して、吸引用ブロワＢ４に接続されている。
そして、下側の送給側吸引部１２１Ｌｏおよび上側の送給側吸引部１２１Ｕｐの送給側ガイド面１２１ｇには、吸引用に多数の小孔１２０ａが形成されている。
【００５２】
図７および図８に示されるように、吸引式フィルム送給装置１２０は、下側の送給側吸引部１２１Ｌｏの下方に配置されたベルト駆動ローラ１２４、テンションローラ１２５、従動ローラ１２６と、上側の送給側吸引部１２１Ｕｐの上方に配置された従動ローラ１２３と、ローラ１２３〜１２６を介して送給側吸引部１２１Ｕｐおよび送給側吸引部１２１Ｌｏの周囲を取り囲むように取り付けられた搬送ベルト１２７とを更に備えている。搬送ベルト１２７は、通気性を有するベルトであり、送給側ガイド面１２１ｇに形成された多数の小孔１２０ａを覆っている。
【００５３】
（２−２−３）吸引式フィルム排送装置の構成
図７および図８に示されるように、吸引式フィルム排送装置１３０は、フィルム蓄積装置１０７におけるフィルム１７のＵ字形部分の他の側面、すなわちインフィードローラ１１０により排送される側の側面を吸引保持する排送側吸引部１３１を備えている。排送側吸引部１３１は、フィルム１７のＵ字形部分の他の側面に対向し、フィルム１７を案内する排送側ガイド面１３１ｇを有する。
【００５４】
排送側吸引部１３１は、下側のフィルム搬送方向下流側の送給側吸引部１２１Ｌｏのみと対向する。つまり、上側の送給側吸引部１２１Ｕｐは排送側吸引部１３１と対向しない。したがって、上側の送給側吸引部１２１Ｕｐは、排送側吸引部１３１よりもフィルム搬送方向上流側に張り出している。言い換えると、吸引式フィルム送給装置１２０は、吸引式フィルム排送装置１３０よりもフィルム搬送方向上流側に張り出し、上方に突出するように、吸引式フィルム排送装置１３０と対向している。
排送側吸引部１３１の排送側ガイド面１３１ｇは、送給側吸引部１２１の送給側ガイド面１２１ｇとほぼ平行である。
【００５５】
図７、図８および図１０に示されるように、下側の送給側吸引部１２１Ｌｏと同様に、排送側吸引部１３１は、フィルム１７の走行方向に複数（本実施例においては３つ）に分割された排送側吸引室１３１ａ〜１３１ｃからなる。排送側吸引室１３１ａ〜１３１ｃのそれぞれは、フィルム１７の幅方向にさらに２分割されている。排送側吸引室１３１ａ〜１３１ｃは、フィルム１７の走行方向に連続して並べて配置され、排送側ガイド面１３１ｇとなる平面を形成する。排送側吸引室１３１ａ〜１３１ｃは、個別に吸引力の調整が可能である。
【００５６】
図３〜図６に示されるように、排送側吸引室１３１ａ〜１３１ｃには、ダクトホース継手１３２ａ〜１３２ｃが設けられている。ダクトホース継手１３２ａ〜１３２ｃは図１０に示す排送側可変風量弁Ｖ１Ｅ〜Ｖ３Ｅにそれぞれ接続され、排送側可変風量弁Ｖ１Ｅ〜Ｖ３Ｅは図１０に示す吸引用ブロワＢ５〜Ｂ７にそれぞれ接続されている。そして、排送側吸引部１３１の排送側ガイド面１３１ｇには、吸引用に多数の小孔（図示せず）が形成されている。
【００５７】
なお、吸引式フィルム排送装置１３０には、吸引式フィルム送給装置１２０のような搬送ベルト１２７は存在せず、吸引式フィルム排送装置１３０はフィルム１７の吸引のみを行う。アンワインダ装置１８、吸引式フィルム送給装置１２０と吸引式フィルム排送装置１３０とを含むフィルム蓄積装置１０７によりフィルム蓄積システムが構成される。
【００５８】
（２−２−４）吸引力制御機構および巻出量制御機構
図１２に示されるように、箔転写ユニット５は、フィルム蓄積装置１０７におけるフィルム１７の蓄積状態を検出するフィルム蓄積状態検出装置３００を備えている。フィルム蓄積状態検出装置３００は、フィルム位置検出部３１０と、振れ速度検出部３２０と、振れ幅検出部３３０とを含む。
【００５９】
フィルム位置検出部３１０は、フィルム蓄積装置１０７におけるフィルム１７の有無を検出して、フィルム１７のＵ字形部分の底部の位置を検出し、その検出結果を出力する。フィルム位置検出部３１０は、図７および図８に示される複数の投受光式の光電センサＰＥＳ１〜ＰＥＳ５と、複数のリフレクター（反射板）Ｍ１〜Ｍ５とを含む。
光電センサＰＥＳ１〜ＰＥＳ４は、フィルム蓄積装置１０７の排送側吸引室１３１ａ〜１３１ｃに、フィルム１７の走行方向に間隔を空けて配設されている。光電センサＰＥＳ５は、最下段の光電センサＰＥＳ４の更に下側、すなわち排送側吸引室１３１ａ〜１３１ｃよりも下側に配設されている。
リフレクターＭ１〜Ｍ４は、送給側吸引室１２１ａ〜１２１ｃに、光電センサＰＥＳ１〜ＰＥＳ４と対向して配設されている。リフレクターＭ５は、光電センサＰＥＳ５と対向する位置に配設されている。
【００６０】
図７および図８を参照して、光電センサＰＥＳ１〜ＰＥＳ４およびリフレクターＭ１〜Ｍ４の位置を具体的に説明する。光電センサＰＥＳ１およびリフレクターＭ１は、排送側吸引室１３１ａおよび送給側吸引室１２１ａの上側部分に位置付けられている。光電センサＰＥＳ２およびリフレクターＭ２は、排送側吸引室１３１ａおよび送給側吸引室１２１ａおよび下側部分に位置付けられている。光電センサＰＥＳ３は排送側吸引室１３１ｂと１３１ｃとの境界部分、リフレクターＭ３は送給側吸引室１２１ｂと１２１ｃとの境界部分に位置付けられている。光電センサＰＥＳ４およびリフレクターＭ４は、排送側吸引室１３１ｃおよび送給側吸引室１２１ｃの下側部分に位置付けられている。
【００６１】
振れ速度検出部３２０は、所定時間内に巻出リール１７ａからフィルム１７が巻き出される巻出量と上記所定時間内にフィルム蓄積装置１０７からフィルム１７が排出される排出量とに基づいて、単位時間当たりのフィルム蓄積変化量を算出し、算出結果をフィルムの振れ速度として出力する。振れ速度検出部３２０は、振れ速度の算出に使用される検出器（図１１の超音波センサ１６、巻出リール駆動検出器２０５、インフィードローラ駆動検出器２０６およびロータリエンコーダ２０９）と、後述するコンピュータ４０（図１４）により実現される振れ速度算出部３２１とを含む。
【００６２】
振れ幅検出部３３０は、光電センサＰＥＳ１〜ＰＥＳ５の検出結果に基づいて、フィルム蓄積装置１０７におけるフィルム１７のＵ字形部分の円弧状部分の最大移動量を算出し、算出結果を振れ幅として出力する。振れ幅検出部３３０は、振れ幅の算出に使用される検出器（タイマー２０７）と、コンピュータ４０により実現される振れ幅算出部３３１とを含む。
【００６３】
箔転写ユニット５は、図１３に示されるコンピュータ４０を備えている。コンピュータ４０は、ＣＰＵなどの処理装置４０１と、メモリなどの記憶装置４０２と、Ｉ／Ｏインタフェース４０３とを具備している。処理装置４０１は、光ディスクなどのコンピュータ読み取り可能な記録媒体４０４に記録されたプログラム４０５を読み出し、このプログラム４０５を実行することにより、図１４に示される振れ速度算出部３２１、振れ幅算出部３３１、モータ制御部５１０および吸引力制御部５２０を実現する。このうち、モータ制御部５１０および吸引力制御部５２０により、制御装置５０が構成される。
【００６４】
モータ制御部５１０は、上述したフィルム位置検出部から出力される検出結果に基づいて、巻出リール１７ａを回転駆動する巻出リール駆動モータ２０８を制御する。
吸引力制御部５２０は、初期条件や運転中におけるフィルム１７の蓄積状態に応じて、吸引式フィルム送給装置１２０の送給側吸引部１２１および吸引式フィルム排送装置１３０の排送側吸引部１３１の吸引力を制御する。
【００６５】
図９に示されるように、制御装置５０はインバータＩＶ１を介して吸引用ブロワＢ１〜Ｂ３に接続され、インバータＩＶ２を介して吸引用ブロワＢ４に接続されている。また、図１０に示されるように、制御装置５０はインバータＩＶ３を介して吸引用ブロワＢ５〜Ｂ７に接続されている。制御装置５０の吸引力制御部５２０は、吸引用ブロワＢ１〜Ｂ７の出力を個別に調整し得る。
【００６６】
図１１に示されるように、制御装置５０には、設定値入力部２０１が接続されている。設定値入力部２０１には、枚葉輪転機１の運転速度（以下、これを機械回転速度という。）２０２、アンワインダ装置１８に取り付けられたフィルム１７のフィルム幅２０３、箔が転写されるシート２に対するフィルム１７の幅方向の位置（以下、これをフィルム位置という。）２０４のそれぞれの設定値が入力される。なお、枚葉輪転機１の運転速度（機械回転速度）は、フィルム転写胴２０の回転速度と読み替えることができる。
【００６７】
また、制御装置５０には、また、超音波センサ１６、アンワインダ装置１８に支持された巻出リール１７ａの回転数を検出する巻出リール駆動検出器２０５、インフィードローラ１１０の回転数を検出するインフィードローラ駆動検出器２０６、タイマー２０７、機械回転速度を検出する機械速度検出装置としてのロータリエンコーダ２０９、光電センサＰＥＳ１〜ＰＥＳ５が接続されている。制御装置５０には、さらに、巻出リール１７ａを回転させる巻出リール駆動モータ２０８、ベルト駆動ローラ１２４を回転させて搬送ベルト１２７を走行させる搬送ベルト駆動モータ２１０、インフィードローラ１１０を駆動するインフィード用モータ２１１が接続されている。
【００６８】
（３）枚葉輪転印刷機の動作
給紙装置３からフィーダボード１１上に一枚ずつ送給されたシート２は、渡し胴１２を介して、接着剤転写ユニット４の圧胴２７に受け渡される。ゴム胴２３には版胴２２上に形成された接着剤が転写されている。シート２がゴム胴２３と圧胴２７との間を通過するときに、シート２の表面にゴム胴２３から接着剤が転写されることにより、シート２上に接着剤の絵柄が印刷される。
【００６９】
接着剤の絵柄が印刷されたシート２は、渡し胴２８を介して、箔転写ユニット５の圧胴２９に受け渡される。シート２が箔転写ユニット５のフィルム転写胴２０と圧胴２９との間を通過するときに、フィルム転写胴２０によりフィルム１７がシート２の表面に押圧され、フィルム１７上に蒸着された箔が、シート２上に接着剤が転写された部分に転写される。このようにして、シート２に対するコールド・フォイル・スタンプ加工が行なわれる。
【００７０】
その後、シート２は渡し胴３０を介して印刷部６の印刷ユニット６ａの圧胴１５ａに受け渡される。ゴム胴１４ａには、版胴１３ａ上に形成されたインキの絵柄が転写されている。シート２がゴム胴１４ａと圧胴１５ａとの間を通過するときに、シート２の表面にゴム胴１５ａからインキが転写され、シート２上にインキの絵柄が印刷される。シート２は、後続の印刷ユニット６ｂ〜６ｅにおいても同様に印刷が施され、印刷部６において５色のインキで印刷される。
【００７１】
印刷部６の最終の印刷ユニット６ｅで印刷されたシート２は、圧胴１５ｅ上でＵＶランプ２４より紫外線が照射される。この紫外線により、シート２に印刷された紫外線硬化型の接着剤およびインキが硬化する。シート２上の接着剤が硬化することにより、この接着剤上に接着している箔もシート２に固着される。
【００７２】
印刷部６で印刷されたシート２は、渡し胴３５を介して、ニスコーティングユニット７の圧胴３６に受け渡される。シート２がニス供給胴２５と圧胴３６との間を通過するときに、シート２の表面にニスが塗布される。
ニスコーティングユニット７でニスが塗布されたシート２は、渡し胴３７を介して乾燥ユニット８の渡し胴３８に受け渡され、この渡し胴３８上で３つのＵＶランプ２６により紫外線が照射される。この紫外線により、シート２に塗布された紫外線硬化型のニスが硬化する。
【００７３】
乾燥ユニット８にて紫外線が照射されたシート２は、渡し胴３９を介して、エンボス加工ユニット９のカウンタ胴９１に受け渡される。シート２がエンボッシング胴９２とカウンタ胴９１との間を通過するときに、シート２にエンボス加工が施される。
エンボス加工ユニット９でエンボス加工されたシート２は、２つの渡し胴９５，９６を介して、排紙装置１０の排紙胴９７上で排紙チェーン９９に設けられた爪竿（図示せず）に受け渡された後、排紙され、パイル状に積載される。
【００７４】
（４）箔転写ユニットの動作
フィルム１７は、リールスタンド部５ａのアンワインダ装置１８から所定の巻出速度で巻き出され、フィルム蓄積部５ｂの吸引式フィルム送給装置１２０、空力式蓄積装置１００、吸引式フィルム排送装置１３０を経由して、インフィードローラ１１０によりフィルム転写胴２０に送り出される。フィルム１７がフィルム転写胴２０と圧胴２９との間を通過するときに、フィルム転写胴２０によりフィルム１７が押圧されることにより、フィルム１７上に蒸着された箔がシート２の接着剤が印刷された箇所に転写される。箔が転写された後のフィルム１７は、駆動ローラ１１１および複数のガイドローラを経由して、リワインダ装置１９により巻き取られる。
【００７５】
吸引式フィルム送給装置１２０においては、アンワインダ装置１８から巻き出されたフィルム１７が吸引式フィルム送給装置１２０の上側の送給側吸引部１２１Ｕｐに送られる。上側の送給側吸引部１２１Ｕｐでは、吸引用ブロワＢ４が小孔１２０ａを介して空気を吸引することにより、送給側吸引室１２１ｄ〜１２１ｆに吸引力が生じる。この吸引力が、通気性を有する搬送ベルト１２７の表面に作用するため、フィルム１７が搬送ベルト１２７の表面に吸着される。そして、ベルト駆動ローラ１２４による搬送ベルト１２７の走行により、フィルム１７が搬送ベルト１２７の表面に吸着された状態で、フィルム１７が下側の送給側吸引部１２１Ｌｏに向けて搬送される。下側の送給側吸引部１２１Ｌｏにおいても同様に、吸引用ブロワＢ１〜Ｂ３により送給側吸引室１２１ａ〜１２１ｃに生じる吸引力が搬送ベルト１２７の表面に作用し、フィルム１７が搬送ベルト１２７の表面に吸着されながら、空力式蓄積装置１００の引込装置１０２に向けて搬送される。
【００７６】
このように、吸引式フィルム送給装置１２０では、送給側吸引部１２１Ｕｐ，１２１Ｌｏが搬送ベルト１２７を介してフィルム１７のＵ字形部分の一側面を吸引した状態で、搬送ベルト１２７が走行することにより、フィルム１７のＵ字形部分の一側面部分が保持されながら、空力式蓄積装置１００へ搬送される。
【００７７】
空力式蓄積装置１００では、吸引式フィルム送給装置１２０から搬送されるフィルム１７に対して、エアーブロー装置１０１が箔蒸着面であるフィルム表（おもて）面に向かって鉛直方向下方へ空気を吹き付けると同時に、引込装置１０２がフィルム裏面を鉛直方向下方へ吸引する。これにより、フィルム蓄積装置１００内の空間で、フィルム１７に対して非接触で、フィルム１７のＵ字形部分の円弧状部分が形成され維持される。
【００７８】
フィルム蓄積装置１０７においてフィルム１７がＵ字形にされる前に、静電気除去装置１４１が、フィルム１７の裏面に発生する静電気を除去する。また、空力式蓄積装置１００内の空間でフィルム１７がＵ字形にされているときに、静電気除去装置１４２が、フィルム１７の表（おもて）面に発生する静電気を除去する。これにより、フィルム１７に静電気による折れや皺の発生が防止される。
【００７９】
吸引式フィルム排送装置１３０では、吸引用ブロワＢ５〜Ｂ７が小孔を介して空気を吸引することにより、排送側吸引室１３１ａ〜１３１ｃに吸引力が生じ、フィルム１７が排送側吸引室１３１ａ〜１３１ｃの排送側ガイド面１３１ｇに吸着される。フィルム１７はインフィードローラ１１０の回転のみによって鉛直方向上方へ引っ張り上げられる。これにより、排送側吸引室１３１ａ〜１３１ｃがフィルム１７のＵ字形部分の他の側面を保持しながら、フィルム１７がフィルム蓄積装置１０７から排出され、フィルム転写胴２０へ供給される。
【００８０】
（５）制御装置による制御
フィルム蓄積装置１０７においては、フィルム１７の走行速度がシート２の搬送速度と一致するように、インフィードローラ１１０のおよび駆動ローラ１１１の駆動が制御される。本実施例において、「シート２の搬送速度」とは、シート２への転写箇所におけるシート２の搬送速度、すなわちフィルム転写胴２０と圧胴２９との対接箇所におけるシート２の搬送速度のことである。したがって、制御装置５０が、ロータリエンコーダ２０９で検出された機械回転速度に基づいて、インフィードローラ１１０のインフィード用モータ２１１および駆動ローラ１１１の駆動モータ（図示せず）を制御する。
【００８１】
アンワインダ装置１８においても、フィルム１７の送給速度がシート２の搬送速度と等しくなるように、巻出リール駆動モータ２０８の駆動が制御される。しかし、巻出リール１７ａ自体が偏心していたり真円ではなく歪んでいたりすることによるフィルム１７の送給速度の誤差により、図７および図８に示されるように、フィルム蓄積装置１０７におけるフィルム１７の蓄積量が変化する。図７には、フィルム蓄積量が多い状態が示されており、フィルム１７のＵ字形部分の円弧状部分が下側の送給側吸引部１２１Ｌｏおよび排送側吸引部１３１よりも下方にある。また、図８には、フィルム蓄積量が少ない状態が示されており、円弧状部分が下側の送給側吸引部１２１Ｌｏおよび排送側吸引部１３１の上部にある。このように、枚葉輪転印刷機１の運転中に、フィルム１７のＵ字形部分の円弧状部分の位置は時々刻々変化する。
【００８２】
フィルム蓄積装置１０７におけるフィルム１７の蓄積量が時々刻々変化したとしても、フィルム１７に折れや皺が発生しないように、特にフィルム１７の円弧状部分の形状が維持されなければならない。このため、制御装置５０は、フィルム蓄積装置１０７におけるフィルム１７の蓄積量すなわちフィルム１７のＵ字形部分の円弧状部分の位置に基づいて、巻出しリール駆動モータ２０８を制御して巻出リール１７ａからのフィルム１７の巻出し量を調整してフィルム１７の円弧状部分を所望の位置へ位置付けたり、下側の送給側吸引部１２１Ｌｏの送給側吸引室１２１ａ〜１２１ｃおよび吸引式フィルム排送装置１３０の排送側吸引室１３１ａ〜１３１ｃにおける吸引力を制御してフィルム１７のＵ字形部分の両側面を確実に保持する。
【００８３】
（５−１）巻出量の調整
次に、制御装置５０によるアンワインダ装置１８からのフィルム１７の巻出量の調整について説明する。
制御装置５０は、フィルム蓄積装置１０７におけるフィルム１７のＵ字形部分の底部である円弧状部分が、送給側吸引室１２１ｃと排送側吸引室１３１ｃとの間、より正確には光電センサＰＥＳ３とＰＥＳ４との間に位置付けられるように、アンワインダ装置１８の巻出リール駆動モータ２０８を制御し、フィルム１７の巻出量を調整する。この制御は、図１５に示されるルーチンＲＴ１にしたがって行われる。
【００８４】
まず、ステップＳ１１において制御装置５０のモータ制御部５１０は、巻出リール駆動モータ２０８を標準モータ回転数ｒ0で駆動する。標準モータ回転数ｒ0は、巻出リール駆動モータ２０８の基準回転数であり、超音波センサ１６の検出結果に基づいて算出された巻出リール１７ａの直径（または半径）と、ロータリエンコーダ２０９で検出された枚葉輪転印刷機１の運転速度に基づいて算出される。したがって、標準モータ回転数ｒ0は、巻出リール１７ａの直径と枚葉輪転印刷機１の運転速度によって変化する。巻出リール駆動モータ２０８を標準モータ回転数ｒ0で駆動することにより、シート２の搬送速度と同じ速度で、フィルム１７が巻出リール１７ａから巻き出される。
【００８５】
ステップＳ１２においてモータ制御部５１０は、光電センサＰＥＳ３の出力に基づいて、光電センサＰＥＳ３によりフィルム１７が検出されたか否かを判定する。光電センサＰＥＳ３によりフィルム１７が検出された場合（ＹＥＳ）は、フィルム１７のＵ字形部分が少なくとも送給側吸引室１２１ｂと排送側吸引室１３１ｂの間に存在していることを表している。
【００８６】
この場合、ステップＳ１３においてモータ制御部５１０は、光電センサＰＥＳ４の出力に基づいて、光電センサＰＥＳ４によりフィルム１７が検出されたか否かを判定する。ここで、光電センサＰＥＳ４によりフィルムが検出されない場合（ＮＯ）は、フィルム１７のＵ字形部分の円弧状部分が光電センサＰＥＳ３とＰＥＳ４との間の適正な位置に位置付けられ、フィルム１７のＵ字形部分の一側面（供給側の側面）が送給側吸引室１２１ａ、１２１ｂの範囲でしっかりと吸着されると共に、フィルム１７のＵ字形部分の他の側面（排送側の側面）が排送側吸引室１３１ａ、１３１ｂの範囲でしっかりと吸着されていることを表している。この場合には、再度ステップＳ１１へ戻り、モータ制御部５１０は巻出リール駆動モータ２０８を基準回転数である標準モータ回転数ｒ0で駆動し続ける。
【００８７】
これに対し、ステップＳ１３においてセンサＰＥＳ４によりフィルム１７が検出された場合（ＹＥＳ）は、図７に示されるように、フィルム１７のＵ字形部分の円弧状部分が送給側吸引室１２１ｃと排送側吸引室１３１ｃとの間よりも下方に位置している可能性があり、円弧状部分が不適切な位置にあることを表している。したがって、円弧状部分が不安定になっている或は不安定になる可能性がある。
このため、ステップＳ１４においてモータ制御部５１０は、巻出リール駆動モータ２０８の回転数を標準モータ回転数ｒ0から所定回転数ｒ1だけ下げる（ステップＳ１４）。これにより、巻出リール駆動モータ２０８は回転数ｒ0−ｒ1で駆動され、アンワインダ装置１８の巻出リール１７ａからのフィルム１７の巻出量が少なくなる。
【００８８】
続いて、ステップＳ１５においてモータ制御部５１０は、光電センサＰＥＳ５の出力に基づいて、光電センサＰＥＳ５によりフィルム１７が検出されたか否かを判定する。その結果、光電センサＰＥＳ５によりフィルム１７が検出されない場合（ＮＯ）には、再度ステップＳ１３へ戻る。
【００８９】
これに対し、ステップＳ１５において光電センサＰＥＳ５によりフィルム１７が検出された場合（ＹＥＳ）は、フィルム１７のＵ字形部分が送給側吸引室１２１ｃと排送側吸引室１３１ｃとの間を更に超えて、引込装置１０２の近くまで到達している或いは引込装置１０２に接触している可能性があり、フィルム１７のＵ字形部分の円弧状部分が不適切な位置にあることを表している。したがって、円弧状部分が不安定になっている或は不安定になる可能性がある。
【００９０】
このため、ステップＳ１６においてモータ制御部５１０は、巻出リール駆動モータ２０８の回転数を標準モータ回転数ｒ0から所定回転数ｒ2だけ下げる。これにより、巻出リール駆動モータ２０８は回転数ｒ0−ｒ2で駆動され、アンワインダ装置１８の巻出リール１７ａからのフィルム１７の巻出量がステップＳ１４における巻出量よりも更に少なくなる。
その後、再度ステップＳ１５へ戻る。つまり、モータ制御部５１０は、光電センサＰＥＳ５によりフィルム１７が検出されなくなるまで、巻出リール駆動モータ２０８を回転数ｒ0−ｒ2で駆動する。
【００９１】
一方、ステップＳ１２において光電センサＰＥＳ３によりフィルム１７が検出されない場合（ＮＯ）は、フィルム１７のＵ字形部分が送給側吸引室１２１ｂと排送側吸引室１３１ｂとの間に存在していない可能性があり、フィルム１７のＵ字形部分の円弧状部分が不適切な位置にあることを表している。したがって、円弧状部分が不安定になっている或は不安定になる可能性がある。
【００９２】
この場合、ステップＳ１７においてモータ制御部５１０は、光電センサＰＥＳ２の出力に基づいて、光電センサＰＥＳ２によりフィルム１７が検出されたか否かを判定する。光電センサＰＥＳ２によりフィルム１７が検出された場合（ＹＥＳ）は、フィルム１７のＵ字形部分が少なくとも送給側吸引室１２１ａと排送側吸引室１３１ａとの間に存在しており、フィルム１７のＵ字形部分の円弧状部分が不適切な位置にあることを表している。したがって、円弧状部分が不安定になっている或は不安定になる可能性がある。
このため、ステップＳ１８においてモータ制御部５１０は、巻出リール駆動モータ２０８の回転数を標準モータ回転数ｒ0から所定回転数ｒ1だけ上げる。これにより、巻出リール駆動モータ２０８は回転数ｒ0＋ｒ1で駆動され、アンワインダ装置１８の巻出リール１７ａからのフィルム１７の巻出量が多くなる。その後、再度ステップＳ１２へ戻る。
【００９３】
これに対し、ステップＳ１７において光電センサＰＥＳ２によりフィルム１７が検出されない場合（ＮＯ）は、フィルム１７のＵ字形部分が送給側吸引室１２１ａと排送側吸引室１３１ａとの間に存在していない可能性があることを表している。
この場合、ステップＳ１９においてモータ制御部５１０は、光電センサＰＥＳ１の出力に基づいて、光電センサＰＥＳ１によりフィルム１７が検出されたか否かを判定する。光電センサＰＥＳ１によりフィルム１７が検出された場合（ＹＥＳ）は、フィルム１７のＵ字形部分が少なくとも送給側吸引室１２１ａと排送側吸引室１３１ａとの間に存在しており、フィルム１７のＵ字形部分の円弧状部分が不適切な位置にあることを表している。したがって、円弧状部分が不安定になっている或は不安定になる可能性がある。
【００９４】
このため、ステップＳ２０においてモータ制御部５１０は、巻出リール駆動モータ２０８の回転数を標準モータ回転数ｒ0から所定回転数ｒ2だけ上げる。これにより、巻出リール駆動モータ２０８は回転数ｒ0＋ｒ2で駆動され、アンワインダ装置１８の巻出リール１７ａからのフィルム１７の巻出量がステップＳ１８における巻出量よりも更に多くなる。その後、再度ステップＳ１７へ戻る。
【００９５】
これに対し、ステップＳ１９において光電センサＰＥＳ１によりフィルム１７が検出されない場合（ＮＯ）は、フィルム１７のＵ字形部分が送給側吸引室１２１ａと排送側吸引室１３１ａとの間にも存在していないことを表している。
この場合、ステップＳ２１においてモータ制御部５１０は、巻出リール駆動モータ２０８の回転数を標準モータ回転数ｒ0から所定回転数ｒ3だけ上げる。これにより、巻出リール駆動モータ２０８は回転数ｒ0＋ｒ3で駆動され、アンワインダ装置１８の巻出リール１７ａからのフィルム１７の巻出量がステップＳ１８およびＳ２０における巻出量よりも更に多くなる。
【００９６】
その後、再度ステップＳ１９へ戻る。つまり、モータ制御部５１０は、光電センサＰＥＳ１によりフィルム１７が検出されるまで、巻出リール駆動モータ２０８を回転数ｒ0＋ｒ3で駆動する。なお、ｒ1とｒ2とｒ3との関係は、ｒ1＜ｒ2＜ｒ3である。
【００９７】
このように、モータ制御部５１０は、巻出リール駆動モータ２０８を回転数ｒ0、ｒ0−ｒ1、ｒ0−ｒ2、ｒ0＋ｒ1、ｒ0＋ｒ2、ｒ0＋ｒ3の６段階で駆動して、フィルム蓄積部１０７におけるフィルム１７のＵ字形部分の一側面および他の側面がそれぞれ送給側吸引室および排送側吸引室にしっかりと吸着される状態となるようにフィルム蓄積量を制御する。これにより、フィルム１７のＵ字形部分の底部である円弧状部分が適正な位置すなわち光電センサＰＥＳ３とＰＥＳ４との間に位置付けられ、フィルム１７のＵ字形部分の一側面が送給側吸引室１２１ａ、１２１ｂに吸着されるとともに、フィルム１７のＵ字形部分の他の側面が排送側吸引室１３１ａ、１３１ｂに吸着された状態となる。
【００９８】
なお、モータ制御部５１０は、搬送ベルト１２７の走行速度が巻出リール１７ａからのフィルム１７の巻出速度を常に少しだけ上回るように、搬送ベルト駆動モータ１２４を制御している。これにより、巻出リール１７ａから吸引式フィルム送給装置１２０の間におけるフィルム１７に対して適切な張力が作用し、フィルム１７の皺や折れ、さらには過張力によるフィルム１７の断裂やフィルム１７上の箔のひびが防止される。
【００９９】
（５−２）吸引力の調整
次に、制御装置５０による、送給側吸引室１２１ａ〜１２１ｆおよび排送側吸引室１３１ａ〜１３１ｃの吸引力の調整について説明する。
【０１００】
（５−２−１）初期条件に基づく吸引力の調整
まず、初期条件に基づく吸引力の調整について説明する。
送給側吸引室１２１ａ〜１２１ｆおよび排送側吸引室１３１ａ〜１３１ｃの吸引力は、図１６に示されるように、フィルム１７の幅および枚葉輪転印刷機１の運転速度（機械回転速度）に基づいて調整される。
【０１０１】
フィルム幅が基準値よりも広い場合には、吸引力が高く設定される。これにより、幅が広くて重いフィルム１７を搬送ベルト１２７および排送側吸引室１３１ａ〜１３１ｃの高い吸引力で確実に吸着保持することができる。
一方、フィルム幅が基準値よりも狭い場合には、吸引力が低く設定される。幅が狭くて軽いフィルム１７は空力式蓄積装置１００のエアーブロー装置１０１からの送風により送給側吸引室１２１ａ〜１２１ｃおよび排送側吸引室１３１ａ〜１３１ｃに押付けられる。このため、低い吸引力であっても、幅が狭くて軽いフィルム１７は搬送ベルト１２７および排送側吸引室１３１ａ〜１３１ｃに確実に吸着保持される。
【０１０２】
機械回転速度については、印刷物に応じて作業者により設定された機械回転速度が、予め設定された速度よりも速い場合には、吸引力が高く設定される。これにより、機械回転速度が高速になってフィルム１７の搬送速度が上昇しても、フィルム１７のＵ字形部分の一側面および他の側面を高い吸引力で搬送ベルト１２７および排送側吸引室１３１ａ〜１３１ｃに確実に吸着保持することができる。
一方、作業者により設定された機械回転速度が、予め設定された速度よりも遅い場合には、吸引力が低く設定される。これにより、フィルム１７のＵ字形部分の他の側面の排送側吸引室１３１ａ〜１３１ｃへの吸着が、フィルム１７をインフィードローラ１１０で搬送する際の過剰な抵抗となることを防止することができる。
【０１０３】
なお、フィルム幅が狭い場合には、フィルム１７の幅方向の位置が、それぞれ左右に２分割された送給側吸引室１２１ａ〜１２１ｆおよび排送側吸引室１３１ａ〜１３１ｃの左右いずれかに片寄っていることがある。このような場合には、制御装置５０の吸引制御部５１２が、フィルム１７の存在しない方の吸引室の吸引を停止して、無駄な電力の消費を抑える。このようなフィルム１７の片寄りは、図１１に示された設定値入力部２０１に入力されるフィルム位置２０４から知ることができる。
【０１０４】
制御装置５０の吸引力制御部５２０は、図１７に示されるように、フィルム幅に基づく吸引力と機械回転速度に基づく吸引力との組み合わせに基づいて、送給側吸引室１２１ａ〜１２１ｆおよび排送側吸引室１３１ａ〜１３１ｃにおける初期の吸引力を決定する。図１７における大、中、小は、吸引力の強さを示している。吸引力の強さの関係は、大＞中＞小である。
【０１０５】
フィルム幅が広く吸引力が「高」であり、かつ、機械回転速度が高速で吸引力が「高」のときには、最適な吸引力の強さは「大」である。同じくフィルム幅が広く吸引力が「高」であるが、機械回転速度が低速で吸引力が「低」のときには、最適な吸引力の強さは「中」である。
また、フィルム幅が狭く吸引力が「低」であり、かつ、機械回転速度が高速で吸引力が「高」のときには、最適な吸引力の強さは「中」である。同じくフィルム幅が狭く吸引力が「低」であるが、機械回転速度が低速で吸引力が「低」のときには、最適な吸引力の強さは「小」である。
【０１０６】
吸引力制御部５２０は、このようにしてフィルム幅および機械回転速度に基づいて決定された吸引力の強さとなるように、送給側吸引室１２１ａ〜１２１ｆおよび排送側吸引室１３１ａ〜１３１ｃに対応する可変風量弁Ｖ１Ｐ〜Ｖ６Ｐ，Ｖ１Ｅ〜Ｖ３Ｅおよび／または吸引用ブロワＢ１〜Ｂ４，Ｂ５〜Ｂ７を制御する。これにより、フィルム蓄積部１０７におけるフィルム１７のＵ字形部分の両側面を確実に吸着して、円弧状部分を安定化させることができる。
なお、本実施例ではフィルム幅および機械回転速度の両方に基づいて吸引力を制御する場合を説明したが、吸引力制御部５２０がフィルム幅および機械回転速度のいずれか一方のみに基づいて送給側吸引部１２１および排送側吸引部１３１の吸引力を制御することも勿論可能である。
【０１０７】
（５−２−２）機械運転中における吸引力の調整
次に、機械運転中における吸引力の調整について説明する。
枚葉輪転印刷機１の運転が開始されると、フィルム蓄積装置１０７におけるフィルム１７の蓄積量は時々刻々変化していく。このため、制御装置５０は、上述したように、フィルム１７のＵ字形部分の円弧状部分を適正な位置に位置付けるように、アンワインダ装置１８の巻出リール駆動モータ２０８の回転数を制御する。さらに、フィルム１７の蓄積量の変動が大きく、フィルム１７のＵ字形部分の状態が安定していない場合には、制御装置５０は、吸引式フィルム送給装置１２０および吸引式フィルム排送装置１３０の吸引力を、初期条件に基づいて設定された値から変更する。
【０１０８】
フィルム１７の蓄積量の変動、すなわち、フィルム蓄積装置１０７におけるフィルム１７のＵ字形部分の位置の変動は、「振れ速度」および「振れ幅」で評価される。
「振れ速度」とは、単位時間当たりのフィルム蓄積装置１０７におけるフィルム１７の蓄積変化量のことであり、換言すると、フィルム１７のＵ字形部分の円弧状部分の位置が上下方向に移動する速さのことである。
「振れ幅」とは、フィルム蓄積装置１０７におけるフィルム１７の蓄積変化量のことであり、換言すると、フィルム１７のＵ字形部分の円弧状部分の位置の変位量のことである。
【０１０９】
フィルム１７の蓄積量が急激に増減し振れ速度が速い場合や、フィルム１７のＵ字形部分の円弧状部分の位置が急激でなくても大きく変化し振れ幅が大きい場合には、フィルム蓄積装置１０７におけるフィルム１７のＵ字形部分の状態が不安定になる可能性がある。このため、吸引式フィルム送給装置１２０および吸引式フィルム排送装置１３０の吸引力を制御する必要がある。
【０１１０】
（５−２−２−１）振れ速度に応じた吸引力の調整
まず、振れ速度に応じた吸引力の調整について説明する。
振れ速度検出部３２０は、フィルム転写胴２０の１回転に要する時間内に、巻出リール１７ａからフィルム１７が巻き出される巻出量とフィルム蓄積装置１０７からフィルム１７が排出される排出量との差により、フィルム蓄積装置１０７に蓄積されたフィルム１７の増減量を求め、この増減量をフィルム転写胴２０の１回転に要する時間で割ることにより、単位時間当たりのフィルム蓄積装置１０７におけるフィルム１７の蓄積変化量、すなわち振れ速度を算出する。
【０１１１】
振れ速度は、超音波センサ１６、巻出リール駆動検出器２０５、インフィードローラ駆動検出器２０６およびロータリエンコーダ２０９の各出力に基づいて、振れ速度検出部３２０の振れ速度算出部３２１によって算出される。以下、振れ速度の算出方法を詳しく説明する。
まず、超音波センサ１６の出力に基づいて、巻出リール１７ａの直径（または半径）が算出される。また、ロータリエンコーダ２０９により検出される枚葉輪転印刷機１の運転速度に基づいて、フィルム転写胴２０の１回転に要する時間が算出される。この算出された時間と巻出リール１７ａの直径（または半径）と巻出リール駆動検出器２０５により検出された巻出リール１７ａの回転数とから、フィルム転写胴２０の１回転に要する時間で巻き出されるフィルム１７の巻出量が算出される。
【０１１２】
インフィードローラ駆動検出器２０６で検出されるインフィードローラ１１０の回転数とフィルム転写胴２０の１回転に要する時間とインフィードローラ１１０の半径（または直径）とに基づいて、フィルム転写胴２０の１回転に要する時間でフィルム蓄積装置１０７から排出されるフィルム１７の排出量が算出される。
【０１１３】
フィルム転写胴２０の１回転に要する時間で得られるフィルム１７の巻出量とフィルム１７の排出量との差を算出することにより、フィルム蓄積装置１００におけるフィルム蓄積量の増加量または減少量が求まる。この増加量または減少量をフィルム転写胴２０の１回転に要する時間で割ることにより、振れ速度が算出される。
【０１１４】
制御装置５０の吸引力制御部５２０は、振れ速度算出部３２１により算出された振れ速度に基づき、図１６にしたがって、送給側吸引室１２１ａ〜１２１ｆおよび排送側吸引室１３１ａ〜１３１ｃの吸引力を決定する。吸引力制御部５２０は、まず、算出された振れ速度を予め定められた振れ速度の基準値と比較する。その結果、算出された振れ速度が基準値よりも大きい場合には、吸引力を「高」にする。これにより、フィルム１７のＵ字形部分の一側面および他の側面が、高い吸引力で搬送ベルト１２７および排送側吸引室１３１ａ〜１３１ｃに確実に吸着保持される。これに対し、算出された振れ速度が基準値よりも小さければ、フィルム１７のＵ字形部分の状態が安定していることを表しているため、吸引力を「低」にして、フィルム１７のＵ字形部分を安定した状態に維持する。
【０１１５】
（５−２−２−２）振れ幅に応じた吸引力の調整
次に、振れ幅に応じた吸引力の調整について説明する。
振れ幅検出部３３０は、光電センサＰＥＳ１〜ＰＥＳ５の検出結果に基づいて、フィルム蓄積装置１０７におけるフィルム１７のＵ字形部分の円弧状部分の最大移動量、すなわち振れ幅を検出する。以下、より詳しく説明する。
【０１１６】
まず、振れ幅検出部３３０の振れ幅算出部３３１は、タイマー２０７により所定時間を計時したら、光電センサＰＥＳ１〜ＰＥＳ５によるフィルム１７の有無を検出し、この検出結果からフィルム１７のＵ字形部分の円弧状部分の位置を求める。例えば、図７の状態のときには、光電センサＰＥＳ１〜ＰＥＳ４がフィルム１７を検出しているが、光電センサＰＥＳ５はフィルム１７を検出していない。これにより、フィルム１７のＵ字形部分の円弧状部分は、光電センサＰＥＳ４とＰＥＳ５との間にあることが分かる。さらにタイマー２０７が所定時間を計時したら、同様にフィルム１７のＵ字形部分の円弧状部分の位置を検出する。例えば、図８の状態のときには、フィルム１７のＵ字形部分の円弧状部分は、光電センサＰＥＳ１とＰＥＳ２との間にあることが分かる。このように、タイマー２０７により計時される所定時間間隔で、フィルム１７のＵ字形部分の円弧状部分の位置を複数回検出する。
【０１１７】
振れ幅算出部３３１は、複数回検出された円弧状部分の位置のうち、最も高い位置と最も低い位置とから振れ幅を算出する。例えば、フィルム１７のＵ字形部分の円弧状部分が、基準位置である光電センサＰＥＳ３とＰＥＳ４との間にあるときには点数０、光電センサＰＥＳ４とＰＥＳ５との間にあるときには点数−１、光電センサＰＥＳ５よりも下方にあるときには点数−２、光電センサＰＥＳ２とＰＥＳ３との間にあるときには点数１、光電センサＰＥＳ１とＰＥＳ２との間にあるときには点数２、光電センサＰＥＳ１よりも上方にあるときには点数３をつけるものとする。具体的には、図７の状態の点数は−１、図８の状態の点数は２となる。複数回検出されたフィルム１７のＵ字形部分の円弧状部分の位置に基づく点数のうち、最大の点数から最小の点数を引いた値を振れ幅とする。
【０１１８】
制御装置５０の吸引力制御部５２０は、振れ幅検出部３３０により検出された振れ幅に基づき、図１６にしたがって、送給側吸引室１２１ａ〜１２１ｆおよび排送側吸引室１３１ａ〜１３１ｃの吸引力を決定する。吸引力制御部５２０は、まず、検出された振れ幅を予め定められた振れ幅の基準値と比較する。上述の例で、基準値を３とすると、吸引力制御部５２０は、振れ幅が３以下のときには振れ幅が小さく、３を超えるときには振れ幅が大きいと判断する。具体的には、５回計測して求められた点数が、０、−１、０、１、２の場合には、最大の点数が２、最小の点数が−１であるから、（最大の点数）−（最小の点数）が３となり、振れ幅が小さいと判断される。
【０１１９】
吸引力制御部５２０は、振れ幅が大きい場合には、図１６に示されるように、吸引力を「高」にする。これにより、フィルム１７のＵ字形部分の一側面および他の側面が、高い吸引力で搬送ベルト１２７および排送側吸引室１３１ａ〜１３１ｃに確実に吸着保持される。これに対し、振れ幅が小さい場合には、フィルム１７のＵ字形部分の状態が安定していることを表しているため、吸引力を「低」にして、フィルム１７のＵ字形部分を安定した状態に維持する。
【０１２０】
（５−２−２−３）振れ速度と振れ幅との組み合わせに応じた吸引力の調整
さらに、制御装置５０の吸引制御部５２０は、図１８に示されるように、振れ速度に基づく吸引力と振れ幅に基づく吸引力との組み合わせに基づいて、送給側吸引室１２１ａ〜１２１ｆおよび排送側吸引室１３１ａ〜１３１ｃの吸引力を決定する。図１８における大、中、小は、吸引力の強さを示している。吸引力の強さの関係は、大＞中＞小である。
【０１２１】
振れ幅が大きく吸引力が「高」であり、かつ、振れ速度が大きく吸引力が「高」のときには、吸引力「大」が設定される。同じく振れ幅が大きく吸引力が「高」であるが、振れ速度が小さく吸引力が「低」のときには、吸引力「中」が設定される。
また、振れ幅が小さく吸引力が「低」であり、かつ、振れ速度が大きく吸引力が「高」のときには、吸引力「中」が設定される。同じく振れ幅が小さく吸引力が「低」であるが、振れ速度が小さく吸引力が「低」のときには、吸引力「小」が設定される。
【０１２２】
吸引力制御部５２０は、このようにして振れ速度および振れ幅に基づいて決定された吸引力の強さとなるように、送給側吸引室１２１ａ〜１２１ｆおよび排送側吸引室１３１ａ〜１３１ｃに対応する可変風量弁Ｖ１Ｐ〜Ｖ６Ｐ、Ｖ１Ｅ〜Ｖ３Ｅおよび／または吸引用ブロワＢ１〜Ｂ４、Ｂ５〜Ｂ７を制御する。これにより、フィルム蓄積部１０７におけるフィルム１７の蓄積量の変動が大きい場合であっても、フィルム１７のＵ字形部分の両側面を確実に吸着して、Ｕ字形部分の円弧状部分を安定化させることができる。
なお、吸引力制御部５２０は、振れ速度および振れ幅のいずれか一方のみに基づいて送給側吸引部１２１および排送側吸引部１３１の吸引力を制御することも勿論可能である。
制御装置５０は、振れ速度および振れ幅のどちらか一方が予め設定された限界値を超えた場合には、枚葉輪転印刷機１を非常停止させる。
【０１２３】
（５−２−３）吸引力の個別制御
制御装置５０の吸引力制御部５２０は、フィルム位置検出部３１０の検出結果に基づいて、送給側吸引室１２１ａ〜１２１ｃおよび排送側吸引室１３１ａ〜１３１ｃの吸引力を個別に制御することができる。すなわち、吸引力制御部５２０は、フィルム蓄積装置１０７におけるフィルム１７の蓄積量の変動が小さくて、フィルム１７のＵ字形部分が安定している場合に、光電センサＰＥＳ１〜ＰＥＳ５の検出結果から求められたＵ字形部分の円弧状部分の位置に応じて、送給側吸引室１２１ａ〜１２１ｃの送給側可変風量弁Ｖ１Ｐ〜Ｖ３Ｐおよび排送側吸引室１３１ａ〜１３１ｃの排送側可変風量弁Ｖ１Ｅ〜Ｖ３Ｅに対する開閉を個別に制御する。この制御は、図１９に示されるルーチンＲＴ２にしたがって行われる。なお、ルーチンＲＴ２は、光電センサＰＥＳ１によりフィルム１７が検出されていることを条件として実行されるものである。
【０１２４】
まず、ステップＳ１０１において吸引力制御部５２０は、光電センサＰＥＳ２によりフィルム１７が検出されたか否かを判定する。
【０１２５】
光電センサＰＥＳ２によりフィルム１７が検出されていない場合（ＮＯ）、ステップＳ１０２において吸引力制御部５２０は、送給側吸引室１２１ａの送給側可変風量弁Ｖ１Ｐおよび排送側吸引室１３１ａの排送側可変風量弁Ｖ１Ｅを全開にして吸引力を最大に作用させ、送給側吸引室１２１ｂ、１２１ｃの送給側可変風量弁Ｖ２Ｐ、Ｖ３Ｐと、排送側吸引室１３１ｂ、１３１ｃの排送側可変風量弁Ｖ２Ｅ、Ｖ３Ｅを絞って吸引力を低く保つよう制御する（ステップＳ１０２）。
【０１２６】
これにより、フィルム蓄積装置１０７におけるフィルム１７のＵ字形部分の一側面および他の側面が、それぞれ送給側吸引室１２１ａおよび排送側吸引室１３１ａに確実に吸着されて、Ｕ字形部分の円弧状部分が安定する。一方、フィルム１７が存在しない送給側吸引室１２１ｂ、１２１ｃおよび排送側吸引室１３１ｂ、１３１ｃには無駄な吸引を行わせず、必要なときに直ちに吸引力を強くできるように待機させておく。その後、再度ステップＳ１０１へ戻る。
【０１２７】
ステップＳ１０１で光電センサＰＥＳ２によりフィルム１７が検出された場合（ＹＥＳ）は、送給側吸引室１２１ａと排送側吸引室１３１ａとの間にフィルム１７のＵ字形部分が存在し、かつ送給側吸引室１２１ｂと排送側吸引室１３１ｂとの間にフィルム１７のＵ字形部分が差し掛かっている可能性があることを表している。
【０１２８】
このため、ステップＳ１０３において吸引力制御部５２０は、送給側吸引室１２１ａ、１２１ｂの送給側可変風量弁Ｖ１Ｐ、Ｖ２Ｐおよび排送側吸引室１３１ａ、１３１ｂの排送側可変風量弁Ｖ１Ｅ、Ｖ２Ｅを全開にして吸引力を最大に作用させ、送給側吸引室１２１ｃの送給側可変風量弁Ｖ３Ｐおよび排送側吸引室１３１ｃの排送側可変風量弁Ｖ３Ｅを絞って吸引力を低く保つよう制御する。
【０１２９】
これにより、フィルム蓄積装置１０７におけるフィルム１７のＵ字形部分の一側面および他の側面が、それぞれ送給側吸引室１２１ａ、１２１ｂおよび排送側吸引室１３１ａ、１３１ｂに確実に吸着されて、Ｕ字形部分の円弧状部分が安定する。一方、送給側吸引室１２１ｃおよび排送側吸引室１３１ｃには無駄な吸引を行わせず、必要なときに直ちに吸引力を強くできるように待機させておく。
【０１３０】
続いて、ステップＳ１０４において吸引力制御部５２０は、光電センサＰＥＳ３によりフィルム１７が検出されたか否かを判定する。光電センサＰＥＳ３によりフィルム１７が検出されていない場合（ＮＯ）には、再度ステップＳ１０１へ戻って上述の処理を繰り返す。
【０１３１】
これに対し、ステップＳ１０４において光電センサＰＥＳ３によりフィルム１７が検出された場合（ＹＥＳ）は、送給側吸引室１２１ａ、１２１ｂと排送側吸引室１３１ａ、１３１ｂとの間にフィルム１７のＵ字形部分が存在し、かつ送給側吸引室１２１ｃと排送側吸引室１３１ｃとの間にフィルム１７のＵ字形部分が差し掛かっている可能性があることを表している。
【０１３２】
このため、ステップＳ１０５において吸引力制御部５２０は、送給側吸引室１２１ａ〜１２１ｃの送給側可変風量弁Ｖ１Ｐ〜Ｖ３Ｐおよび排送側吸引室１３１ａ〜１３１ｃの排送側可変風量弁Ｖ１Ｅ〜Ｖ３Ｅを全開にして全ての吸引力を最大に作用させる。
これにより、フィルム蓄積装置１０７におけるフィルム１７のＵ字形部分の一側面および他の側面が、送給側吸引室１２１ａ〜１２１ｃおよび排送側吸引室１３１ａ〜１３１ｃに確実に吸着されて、Ｕ字形部分の円弧状部分が安定する。その後、再度ステップＳ１０４へ戻って処理を繰り返す。
【０１３３】
上述の通り、光電センサＰＥＳ３によりフィルム１７が検出されない場合（ステップＳ１０４、ＮＯ）にはステップＳ１０１に戻り、光電センサＰＥＳ２によりフィルム１７が検出されない場合（ステップＳ１０１、ＮＯ）にはステップＳ１０２へ戻り、再度上述の処理を繰り返す。このため、フィルム蓄積装置１０７におけるＵ字形部分の長さが変化して、Ｕ字形部分の底部が上下方向へ移動したときでも、不要な吸引を抑制して、フィルム１７が存在する場所に確実に吸引力を付与し続けることができる。
【０１３４】
なお、吸引力制御部５２０は、送給側可変風量弁Ｖ１Ｐ〜Ｖ３Ｐおよび排送側可変風量弁Ｖ１Ｅ〜Ｖ３Ｅの開閉操作にあわせて、吸引用ブロワＢ１〜Ｂ３、Ｂ５〜Ｂ７の出力も調整するように制御することができる。また、吸引力制御部５２０は、吸引用ブロワＢ１〜Ｂ３、Ｂ５〜Ｂ７のみにより各吸引室の吸引力を調整するように制御してもよい。
【０１３５】
（６）本実施の形態の効果
本実施の形態では、フィルム転写胴２０の鉛直方向上方にフィルム蓄積装置１０７が配設され、フィルム蓄積装置１０７の鉛直方向上方にアンワインダ装置１８およびリワインダ装置１９が配設されている。アンワインダ装置１８およびリワインダ装置１９は、互いに鉛直方向に並ぶように配設されている。このような配置にすることにより、大径の巻出リール１７ａおよび巻取リール１７ｂを箔転写ユニット５の上方から搭載することが可能となる。これにより、アンワインダ装置１８およびリワインダ装置１９に対して、巻出リール１７ａおよび巻取リール１７ｂの交換頻度を減らすことができる。また、大径の巻出リール１７ａおよび巻取リール１７ｂを搭載しても、アンワインダ装置１８およびリワインダ装置１９の前後における作業スペースを確保することができる。その結果、調整作業の容易化、および装置に対する作業性を向上することができる。
【０１３６】
本実施の形態では、フィルム蓄積装置１０７において、吸引式フィルム送給装置１２０がアンワインダ装置１８からフィルム１７が供給される側に配設され、吸引式フィルム排送装置１３０がインフィードローラ１１０によりフィルム１７が排送される側に配設されている。フィルム１７のＵ字形部分の一側面部分は、吸引式フィルム送給装置１２０の搬送ベルト１２７に吸着保持されて搬送される。また、Ｕ字形部分の他の側面部分は、吸引式フィルム排送装置１３０の排送側吸引部１３１に吸引保持され、インフィードローラ１１０により確実に引き出される。したがって、フィルム１７が高速に搬送されたり、フィルム１７の蓄積量に変化が生じても、Ｕ字形部分の円弧状部分を維持して、フィルム１７に折れや皺が生じることを防止することができる。
【０１３７】
本実施の形態例では、フィルム蓄積装置１０７において、フィルム１７のＵ字形部分の一側面部分が吸引式フィルム送給装置１２０の搬送ベルト１２７により搬送されるのに対し、フィルム１７のＵ字形部分の他の側面部分はインフィードローラ１１０のみにより引き出される。すなわち、吸引式フィルム排送装置１３０は、吸引式フィルム送給装置１２０の搬送ベルト１２７およびローラ１２３〜１２６に相当する構成を有しない。フィルム１７のＵ字形部分の他の側面部分の搬送にも搬送ベルトを用いる場合には、インフィードローラ１１０の制御に加えて、搬送ベルトの速度制御が必要になる。インフィードローラ１１０の回転はフィルム１７の走行速度がシート２の搬送速度と一致するように制御されるため、搬送ベルトの速度をインフィードローラ１１０の回転と整合させることは難しい。両者が整合しないと、フィルム１７の張力が不安定になり、フィルム１７の皺や折れ等の原因になる。この張力不安定性を排除するために、本実施例では吸引式フィルム排送装置１３０に搬送ベルトを設けず、インフィードローラ１１０のみでフィルム１７を引き出すようにしている。
【０１３８】
本実施の形態では、制御装置５０が、初期条件や運転中におけるフィルム１７の蓄積状態に応じて、吸引式フィルム送給装置１２０の送給側吸引部１２１および吸引式フィルム排送装置１３０の排送側吸引部１３１の吸引力を最適に制御する。これにより、フィルム１７のＵ字形部分が搬送ベルト１２７および排送側吸引部１３１に確実に吸着保持されるため、フィルム１７に折れや皺が生じることを防止することができる。
【０１３９】
本実施の形態では、制御装置５０が、フィルム１７のＵ字形部分の底部の位置に応じて、巻出リール１７ａを回転駆動する巻出リール駆動モータ２０８を制御する。これにより、巻出リール１７ａからのフィルム１７の巻出量を調整して、フィルム１７のＵ字形部分を最適な位置に位置付けることができる。その結果、Ｕ字形部分の円弧状部分を維持して、フィルム１７に折れや皺が生じることを防止することができる。
【０１４０】
例えば、フィルム１７のＵ字形部分が図８に示されるように上方に位置して、フィルム１７のＵ字形部分の両側面が送給側吸引室１２１ａおよび排送側吸引部１３１ａに吸着する部分が少ない場合に、これら吸引室１２１ａ、１３１ａによる吸着力だけではフィルム１７を安定したＵ字形状に維持できなくなるおそれがある。
【０１４１】
しかし、本実施の形態では、吸引式フィルム送給装置１２０の下側の送給側吸引部１２１Ｌｏのみと、吸引式フィルム排送装置１３０の排送側吸引部１３１とが、空力式蓄積装置１００を間に挟んだ状態で対向するように配置されている。換言すれば、フィルム搬送方向上流側に設けられた上側の送給側吸引部１２１Ｕｐが、下側の送給側吸引部１２１Ｌｏおよび排送側吸引部１３１よりも、フィルム搬送方向上流側に突出している。このため、上述した場合でも、送給側吸引室１２１ａだけでなく、そのフィルム搬送方向上流側に設けられた上側の送給側吸引部１２１Ｕｐの送給側吸引室１２１ｄ〜１２１ｆにより、フィルム１７が吸引保持される。したがって、下側の送給側吸引部１２１Ｌｏおよび排送側吸引部１３１による吸着力では十分にフィルム１７を保持できなくても、上側の送給側吸引部１２１Ｕｐの範囲においてフィルム１７が確実に搬送ベルト１２７に吸着保持されて、下側の送給側吸引部１２１Ｌｏへ確実に搬送される。また、位置が変動するフィルム１７のＵ字形部分の円弧状部分が安定する。その結果、フィルム１７に折れや皺が生じることを防止することができる。
【０１４２】
（７）他の実施の形態
上述した実施の形態では、本発明のフィルム転写装置を箔転写ユニット５に適用して、コールド・フォイル・スタンプと呼ばれる箔転写加工処理により美麗効果を付与する場合について説明した。しかし、本発明はこれに限らず、ホット・フォイル・スタンプと呼ばれる箔転写加工処理や、極めて平滑なニス面を得たり、半光沢マット状に仕上げたり、ニス面に対してフィルムの模様を転写するホログラム・エンボス加工処理を行えるフィルム転写装置に本発明を適用することもできる。
【０１４３】
上述した実施の形態では、アンワインダ装置１８がリワインダ装置１９の鉛直方向下方に配置されている。しかし、アンワインダ装置１８とリワインダ装置１９との上下関係を逆にして、アンワインダ装置１８がリワインダ装置１９の鉛直方向上方に配置されていてもよい。つまり、アンワインダ装置１８およびリワインダ装置１９が、互いに鉛直方向に並ぶように配置されていればよい。
【０１４４】
上述した実施の形態では、光電センサＰＥＳ１〜ＰＥＳ４が排送側吸引室１３１ａ〜１３１ｃに一定の間隔で配置され、リフレクターＭ１〜Ｍ４が送給側吸引室１２１ａ〜１２１ｃに光電センサＰＥＳ１〜ＰＥＳ４と対向して配置されている。しかし、本発明はこれに限らず、排送側吸引室１３１ａ〜１３１ｃの各々のほぼ中央または最下端部に光電センサＰＥＳ１〜ＰＥＳ４が配置され、リフレクターＭ１〜Ｍ４が送給側吸引室１２１ａ〜１２１ｃに光電センサＰＥＳ１〜ＰＥＳ４と対向して配置されるようにしてもよい。光電センサＰＥＳ１〜ＰＥＳ４およびリフレクターＭ１〜Ｍ４の配置場所は、任意に設定されることができる。
【０１４５】
上述した実施の形態で用いられる光電センサＰＥＳ１〜ＰＥＳ５の代わりに、レーザセンサ、近接センサ、超音波センサ等のその他種々のセンサを用いることもできる。
【０１４６】
上述した実施の形態では、３つ部屋に分割された送給側吸引室１２１ａ〜１２１ｃおよび３つの部屋に分割された排送側吸引室１３１ａ〜１３１ｃを個別に吸引制御する場合について説明した。しかし、本発明はこれに限らず、少なくとも２つ以上の部屋に分割された複数の送給側吸引室および少なくとも２つの部屋に分割された複数の排送側吸引室を個別に吸引制御するようにしてもよい。
【０１４７】
上述した実施の形態では、コンピュータ４０により振れ速度算出部３２１、振れ幅算出部３３１、モータ制御部５１０および吸引力制御部５２０が実現される。しかし、フィルム蓄積状態検出装置３００に含まれる振れ速度算出部３２１および振れ幅算出部３３１と、制御装置５０に含まれるモータ制御部５１０および吸引力制御部５２０が、別々のコンピュータにより実現されるようにしてもよい。
【０１４８】
本発明のフィルム転写装置は、枚葉輪転式フィルム転写加工装置だけでなく、巻紙式フィルム転写加工装置に適用することもできる。
【符号の説明】
【０１４９】
１…枚葉輪転印刷機、２…シート、４…接着剤転写ユニット、５…箔転写ユニット、５ａ
…リールスタンド部、５ｂ…フィルム蓄積部、６…印刷部、７…ニスコーティングユニット、８…乾燥ユニット、９…エンボス加工ユニット、１０…排出装置、１１…フィーダボード、１２、２８、３０〜３５、３７〜３９、９５、９６…渡し胴、１６…超音波センサ、１７…フィルム、１７ａ…巻出リール、１７ｂ…巻取リール、１８…アンワインダ装置、１９…リワインダ装置、２０…フィルム転写胴、２２…版胴、１４、２３…ゴム胴、１５、２７、２９、３６…圧胴、２４、２６…ＵＶランプ、２５…ニス供給胴、４０…コンピュータ、５０…制御装置、９１…カウンタ胴、９２…エンボッシング胴、９７…排紙胴、９８…スプロケット、９９…排紙チェーン、１００…空力式蓄積装置、１０１…エアーブロー装置、１０１ａ〜１０１ｆ、１２２ａ〜１２２ｆ、１３２ａ〜１３２ｃ…ダクトホース継手、１０２…引込装置、１０３…整流部、１０５、１０６…仕切板、１０７…フィルム蓄積装置、１１０…インフィードローラ、１２０…吸引式フィルム送給装置、１２１…送給側吸引部、１２１ｇ…送給側ガイド面、１２１Ｌｏ、１２１Ｕｐ…送給側吸引部、１２１ａ〜１２１ｆ…送給側吸引室、１２４…ベルト駆動ローラ、１２５…テンションローラ、１２３、１２６…従動ローラ、１２７…搬送ベルト、１３０…吸引式フィルム排送装置、１３１…排送側吸引部、１３１ａ〜１３１ｃ…排送側吸引室、１３１ｇ…排送側ガイド面、１４１、１４２…静電気除去装置、１４５…ガイドレール、２０１…設定値入力部、２０５…巻出リール駆動検出器、２０６…インフィードローラ駆動検出器、２０７…タイマー、２０８…巻出リール駆動モータ、２０９…ロータリーエンコーダ、２１０…搬送ベルト駆動モータ、２１１…インフィード用モータ、３００…フィルム蓄積状態検出装置、３１０…フィルム位置検出部、３２０…振れ速度検出部、３２１…速度算出部、３３０…振れ幅検出部、３３１…振れ幅算出部、４１０…処理装置、４０２…記憶装置、４０３…Ｉ／Ｏインタフェース、４０４…記録媒体、４０５…プログラム、５１０…モータ制御部、５２０…吸引力制御部、Ｖ１Ｐ〜Ｖ６Ｐ…送給側可変風量弁、Ｖ１Ｅ〜Ｖ３Ｅ…排送側可変風量弁、Ｂ１〜Ｂ７…吸引用ブロワ、ＰＥＳ１〜ＰＥＳ５…光電センサ、Ｍ１〜Ｍ５…リフレクタ。
【図１】
2013121880.tif 000003
【図２】
2013121880.tif 000004
【図３】
2013121880.tif 000005
【図４】
2013121880.tif 000006
【図５】
2013121880.tif 000007
【図６】
2013121880.tif 000008
【図７】
2013121880.tif 000009
【図８】
2013121880.tif 000010
【図９】
2013121880.tif 000011
【図１０】
2013121880.tif 000012
【図１１】
2013121880.tif 000013
【図１２】
2013121880.tif 000014
【図１３】
2013121880.tif 000015
【図１４】
2013121880.tif 000016
【図１５】
2013121880.tif 000017
【図１６】
2013121880.tif 000018
【図１７】
2013121880.tif 000019
【図１８】
2013121880.tif 000020
【図１９】
2013121880.tif 000021